(57)【特許請求の範囲】
【請求項１】
フロント側ケースの側壁をＬ曲げ形状とし、かつリア側ケースの側壁をコの字受け形状とし、前記フロント側ケースを前記リア側ケースに嵌入し、前記フロント側ケースを板金と樹脂部の一体成形とする防水構造を備えた薄型通信装置であって、
一辺は、リア側ケースの側面内側に溝を形成し、前記フロント側ケースの前記板金を差し込んで水進入ルートを狭くし、前記一辺の対辺は、板金端部をＬ字形状に折り曲げ、インサート成型して前記リア側ケースに押し当て、前記フロント側ケースの前記樹脂部で押し付けることを特徴とする防水構造を備えた薄型通信装置。
【請求項２】
フロント側ケースの側壁をＬ曲げ形状とし、かつリア側ケースの側壁をコの字受け形状とし、前記フロント側ケースを前記リア側ケースに嵌入し、前記フロント側ケースを板金と樹脂部の一体成形とする防水構造を備えた薄型通信装置であって、
一辺は、リア側ケースの側面内側に溝を形成し、前記フロント側ケースの前記板金を差し込んで水進入ルートを狭くし、前記一辺の対辺は、板金端部をコの字形状に折り曲げ、インサート成型してカバーに押し当て、前記フロント側ケースの前記樹脂部で押し付けることを特徴とする防水構造を備えた薄型通信装置。
【請求項３】
左右辺は、板金端部を折り曲げし、前記リア側ケースの側面に溝を形成し、板金を嵌め込むことを特徴とする請求項１または２記載の防水構造を備えた薄型通信装置。
【請求項４】
フロント側ケースの側壁をＬ曲げ形状とし、かつリア側ケースの側壁をコの字受け形状とし、前記フロント側ケースを前記リア側ケースに嵌入し、前記フロント側ケースを板金と樹脂部の一体成形とする防水構造を備えた薄型通信装置の組立方法であって、
一辺は、リア側ケースの側面内側に溝を形成し、前記フロント側ケースの前記板金を差し込んで水進入ルートを狭くし、前記一辺の対辺は、板金端部をＬ字形状に折り曲げ、インサート成型して前記リア側ケースに押し当て、前記フロント側ケースの前記樹脂部で押し付け、
左右辺は、板金端部を折り曲げし、前記リア側ケースの側面に溝を形成し、板金を嵌め込むことを特徴とする防水構造を備えた薄型通信装置の組立方法。
【請求項５】
フロント側ケースの側壁をＬ曲げ形状とし、かつリア側ケースの側壁をコの字受け形状とし、前記フロント側ケースを前記リア側ケースに嵌入し、前記フロント側ケースを板金と樹脂部の一体成形とする防水構造を備えた薄型通信装置の組立方法であって、
一辺は、リア側ケースの側面内側に溝を形成し、前記フロント側ケースの前記板金を差し込んで水進入ルートを狭くし、前記一辺の対辺は、板金端部をコの字形状に折り曲げ、インサート成型して前記リア側ケースに押し当て、前記フロント側ケースの前記樹脂部で押し付け、
左右辺は、板金端部を折り曲げし、前記リア側ケースの側面に溝を形成し、板金を嵌め込むことを特徴とする防水構造を備えた薄型通信装置の組立方法。
【発明の詳細な説明】
【技術分野】
【０００１】
本発明は、薄型通信装置についての防水のための構造技術に関する。
【背景技術】
【０００２】
薄型通信装置では筐体が、上ケースと下ケースとで構成され、ケース同士のあわせ目からの水分浸入を防止する必要がある。
【０００３】
ここで、携帯電話器の筐体は、上ケースと下ケースとで構成され、上ケース及び下ケースは、いずれも、外側が軟質樹脂で形成され、内側が硬質樹脂で形成され、下ケースの端面における硬質樹脂には、凹部が形成され、上ケースの外側を形成する軟質樹脂は、その端面側までまわり込され、下ケースの凹部に嵌入して凸部を形成し、凸部を形成している軟質樹脂がシール材として機能することで、組立容易性及びシール性を低下させることなく、小型化を図る技術が提案されている（例えば、特許文献１参照）。
【０００４】
また、第１のケースは、ケース内側全周にゴム性のリップ付きパッキンを備え、第２のケースは、上記パッキンを挿入するＵ溝を備えることで、携帯無線機筐体の防水構造において、ケースの変形や外力に対しても一定の防水性を維持する技術が提案されている（例えば、特許文献２参照）。
【特許文献１】特開平０６−２６８５４８号公報
【特許文献２】特開平０９−０２３０７２号公報
【発明の開示】
【発明が解決しようとする課題】
【０００５】
しかしながら、上述の関連技術では、フロントケース側が板形状でありケース同士のあわせ目から水分が浸入する場合があった。
【０００６】
本発明は、以上のような課題を解決するためになされたもので、組立性を確保しつつ水分の浸入を防止し、且つ筐体強度を向上させる防水構造を備えた薄型通信装置およびその組立方法を提供することを目的とする。
【課題を解決するための手段】
【０００７】
本発明の第１の防水構造を備えた薄型通信装置は、フロントケース側の側壁をＬ曲げ形状とし、かつリア側ケースの側壁をコの字受け形状とし、フロントケースをリアケース側に嵌入し、フロントケースを板金と樹脂の一体成形とすることを特徴とする。
【０００８】
また、本発明の第２の防水構造を備えた薄型通信装置は、一辺は、カバー側側面内側に溝を形成し、板金を差し込んで水進入ルートを狭くし、前記一辺の対辺は、板金端部をＬ字形状に折り曲げ、インサート成型してカバーに押し当て、樹脂部で押し付けることを特徴とする。
【０００９】
また、本発明の第３の防水構造を備えた薄型通信装置は、一辺は、カバー側側面内側に溝を形成し、板金を差し込んで水進入ルートを狭くし、前記一辺の対辺は、板金端部をコの字形状に折り曲げ、インサート成型してカバーに押し当て、樹脂部で押し付けることを特徴とする。
【００１０】
また、本発明の第１の防水構造を備えた薄型通信装置の組立方法は、一辺は、カバー側側面内側に溝を形成し、板金を差し込んで水進入ルートを狭くし、前記一辺の対辺は、板金端部をＬ字形状に折り曲げ、インサート成型してカバーに押し当て、樹脂部で押し付け、
左右辺は、板金端部を折り曲げし、カバー側側面に溝を形成し、板金を嵌め込むことを特徴とする。
【００１１】
また、本発明の第２の防水構造を備えた薄型通信装置の組立方法は、一辺は、カバー側側面内側に溝を形成し、板金を差し込んで水進入ルートを狭くし、前記一辺の対辺は、板金端部をコの字形状に折り曲げ、インサート成型してカバーに押し当て、樹脂部で押し付け、
左右辺は、板金端部を折り曲げし、カバー側側面に溝を形成し、板金を嵌め込むことを特徴とする。
【発明の効果】
【００１２】
本発明によれば、組立性を確保しつつ水分の浸入を防止し、且つ筐体強度を向上させることができる。
【発明を実施するための最良の形態】
【００１３】
以下、本発明の実施の形態について図面を参照して詳細に説明する。
【００１４】
本実施の形態における防水構造を備えた薄型通信装置の構成を示す図面を図１〜図８に示す。
【００１５】
具体的な薄型通信装置の構成は、液晶側筐体１、キーボタン側筐体２、フロント側ケース３、リア側ケース４、液晶保護スクリーン５、ゴムパッド６、液晶７からなる。
【００１６】
図１は装置状態図である。図２は液晶側筐体分解構成図である。図３は液晶側筐体縦断面図である。図４、図５は液晶側筐体縦断面図詳細図である。図６は液晶側筐体横断面図である。図７は液晶側筐体横断面図詳細図である。
【００１７】
液晶保護スクリーンサイズ５は加工時のバラツキ、組み立てバラツキ等を考慮すると、リア側ケース液晶保護スクリーン貼付凹４ｂよりも一回り小さくせざるを得ない。
【００１８】
その際に液晶側保護スクリーン５を両面テープ５ａにてフロント側ケース２へ貼付を行うがフロント側ケース２、リア側ケース３との嵌合箇所に隙間が発生する。
【００１９】
ここからの水分浸入防止構造を実現する必要がある。
【００２０】
液晶側筐体１は薄型化強度確保のため板金と樹脂の一体成形品である。
【００２１】
フロント側ケース３は板金部３ａと樹脂部３ｂから構成されている。
【００２２】
フロントケース３には板金凸部３ａ―１と板金曲げ部３ａ―２が存在する。
【００２３】
また、リア側ケース４はフロントケース側板金凸部３ａ―１と板金曲げ部３ａ―２が嵌合することの出来るリアケース側凹４ａ―１と４ａ―２が設けられている。
【００２４】
上記フロント側ケースの凸部とリア側ケースの凹部が嵌合することにより平面的な隙間を削減し、外部からの水分浸入を防止することが出来る。
【００２５】
また、フロント側ケースに設けられた板金曲げ部３ａ―２は剛性力を向上させることも出来る。
【００２６】
より詳細には、水進入防止構造として、一辺は、リア側ケースの側面内側に溝を形成し、板金を差し込んで水進入ルートを狭くして、水進入を防止する。図３、図４を参照すると、３ａー１、４ａー１が嵌め込んでいる箇所となる。
【００２７】
上記辺の対辺は、図３、図５を参照すると、板金端部をＬ字形状またはコの字形状に折り曲げ、インサート成型してリア側ケースに押し当て、樹脂部で押し付けることにより、水進入を防止する。
【００２８】
左右辺は、板金端部を折り曲げし、カバー側側面に溝を形成し、板金をはめ込んで水進入ルートを狭くして、水進入を防止する。図６、図７を参照すると、３ａ−２、４ａ−２が嵌め込んでいる箇所となる。
【００２９】
上記構造により、組立性を確保した上で、水進入を防止する。
【００３０】
各部の組立順序は上記した図４に示す上辺を差し込み、その後、図７に示す両サイドを嵌合し、最後に図５に示すヒンジ側下端を嵌合する。
【００３１】
これにより装置の小型、薄型化により装置サイズ（厚み、幅）を増加させることなく、防止構造可能なケース構成構造を実現できる。
【００３２】
上述した本実施の形態によれば、フロントケース側の側壁をＬ曲げ形状とし、リア側ケースの側壁をコの字受け形状とすること、フロントケースをリアケース側に潜らせる（ひっかける）こと、およびフロントケースを板金と樹脂の一体性成形にすることによって組立性を確保しつつ水分の浸入を防止し、且つ筐体強度を向上させることができる。
【００３３】
なお、上述する各実施の形態は、本発明の好適な実施の形態であり、本発明の要旨を逸脱しない範囲内において種々変更実施が可能である。
【図面の簡単な説明】
【００３４】
【図１】本発明の実施の形態に係る装置状態図である。
【図２】本発明の実施の形態に係る晶側筐体分解構成図である。
【図３】本発明の実施の形態に係る液晶側筐体縦断面図である。
【図４】本発明の実施の形態に係る液晶側筐体縦断面図詳細図である。
【図５】本発明の実施の形態に係る液晶側筐体縦断面図詳細図である。
【図６】本発明の実施の形態に係る液晶側筐体横断面図である。
【図７】本発明の実施の形態に係る液晶側筐体横断面図詳細図である。
【符号の説明】
【００３５】
１    液晶側筐体バ
２    キーボタン側筐体
３    フロント側ケース
４    リア側ケース
５    液晶保護スクリーン
６    ゴムパッド
７    液晶
【図１】
0005018454.tif 000002
【図２】
0005018454.tif 000003
【図３】
0005018454.tif 000004
【図４】
0005018454.tif 000005
【図５】
0005018454.tif 000006
【図６】
0005018454.tif 000007
【図７】
0005018454.tif 000008